(57)【要約】【課題】水拭き取り作業を効率よく行うのに適した清掃シートを提供すること。【解決手段】本発明の清掃シート１は、清掃具本体２のヘッド２２に装着して使用する清掃シート１であって、ヘッド２２に当接され、液不透過性を有する裏面シート１１と、清掃対象に当接され、液透過性を有する表面シート１２と、裏面シート１１および表面シート１２の間に介在し、粉砕パルプおよび吸水ポリマーを含んで構成されたシート状の吸収体１３と、を備え、裏面シート１１および表面シート１２は、吸収体１３の周縁を囲みつつ厚さ方向に重なり合って互いが一体に接合された接合部１４を含み、表面シート１２は、ポリプロピレン繊維を主成分とする不織布シートである。【選択図】図６
2018201576.tif 000002
【特許請求の範囲】
【請求項１】
清掃具本体のヘッドに装着して使用する清掃シートであって、
上記ヘッドに当接され、液不透過性を有する裏面シートと、清掃対象に当接され、液透過性を有する表面シートと、上記裏面シートおよび上記表面シートの間に介在し、粉砕パルプおよび吸水ポリマーを含んで構成されたシート状の吸収体と、を備え、
上記裏面シートおよび上記表面シートは、上記吸収体の周縁を囲みつつ厚さ方向に重なり合って互いが一体に接合された接合部を含み、
上記表面シートは、ポリプロピレン繊維を主成分とする不織布シートであることを特徴とする、清掃シート。
【請求項２】
上記表面シートは、ポリプロピレン繊維のみからなる不織布シートである、請求項１に記載の清掃シート。
【請求項３】
上記吸収体は、上記粉砕パルプおよび吸水ポリマーを包囲するティッシュシートを含む、請求項１または２に記載の清掃シート。
【請求項４】
請求項１ないし３のいずれかに記載の清掃シートと、上記清掃シートが装着されるヘッドを有する清掃具本体と、を備えた清掃具であって、
上記ヘッドは、上記清掃シートにより全体が覆われる下面部と、当該下面部とは反対側を向く上面部と、上記下面部および上記上面部をつないでおり、互いに反対側を向く一対の側面部と、を有し、
上記ヘッドへの上記清掃シートの装着時には、上記清掃シートにおける上記吸収体は、上記下面部の全体と上記一対の側面部の全体とを覆うことを特徴とする、清掃具。
【発明の詳細な説明】
【技術分野】
【０００１】
本発明は、モップ状の清掃具本体に装着して使用する清掃シート、およびこの清掃シートを備えた清掃具に関する。
【背景技術】
【０００２】
従来、床面等に付着した水分を拭き取る際、吸水用のモップが使用されている。吸水用のモップは、たとえばモップ本体（清掃具本体）の柄の先端に吸水用のシート材が装着された構成とされている。当該シート材は、たとえば基布の片面側に合成樹脂繊維が起毛状に植設された構成とされる。清掃時には、シート材を濡れた床面に押し付けて擦ることでシート材に水分が吸収保持される。しかしながら、このようなシート材による水拭き取り清掃では、吸収可能な水分量（以下、適宜「吸水容量」という）が比較的少なく、シート材の吸水量が吸水容量を超えた時点で床面の水分を吸収するのではなく塗り広げるような状態となって、床面が濡れたままの状態になるといった不都合があった。
【０００３】
これに対し、吸水用の清掃用品として、吸水ポリマーを含んで構成された清掃シートが提案されている（例えば特許文献１を参照）。たとえば、特許文献１には、裏面シート（５）および表面シート（２）の間に水分を吸収する吸収体（３）が介装された清掃シートが開示されている。裏面シートは液不透過性を有する。表面シートは、液浸透性を有し、たとえば不織布からなる。吸収体は、吸水ポリマー（６）およびクッション材（１０）により構成される。清掃シートを使用する際、当該清掃シートは、裏面シート（５）が清掃具本体におけるヘッド（２２）の下面部に当接するように装着され、表面シートを床面（清掃対象）に当接させて床面上の水分を拭き取る。このような清掃シートを用いれば、吸水ポリマーは水分を吸収することで膨潤しながら水分を保持するので吸水容量が多く、床面の水分の残留を減らすことができる。その一方、表面シートにおいて床面上の水分が浸透ないし吸収されると、清掃シートで床面を拭く際の摩擦抵抗が比較的大きくなる。そうすると、水拭き取り作業に比較的大きな力が必要となる。したがって、上記従来の清掃シートは、この清掃シートを使用して行う清掃作業の作業効率の面で改善の余地があった。
【先行技術文献】
【特許文献】
【０００４】
【特許文献１】特開２００５−１０３２２２号公報
【発明の概要】
【発明が解決しようとする課題】
【０００５】
本発明は、このような事情のもとで考え出されたものであって、水拭き取り作業を効率よく行うのに適した清掃シートを提供することを主たる課題とする。
【課題を解決するための手段】
【０００６】
上記の課題を解決するため、本発明では、次の技術的手段を講じている。
【０００７】
本発明の第１の側面によって提供される清掃シートは、清掃具本体のヘッドに装着して使用する清掃シートであって、上記ヘッドに当接され、液不透過性を有する裏面シートと、清掃対象に当接され、液透過性を有する表面シートと、上記裏面シートおよび上記表面シートの間に介在し、粉砕パルプおよび吸水ポリマーを含んで構成されたシート状の吸収体と、を備え、上記裏面シートおよび上記表面シートは、上記吸収体の周縁を囲みつつ厚さ方向に重なり合って互いが一体に接合された接合部を含み、上記表面シートは、ポリプロピレン繊維を主成分とする不織布シートであることを特徴としている。
【０００８】
好ましい実施の形態においては、上記表面シートは、ポリプロピレン繊維のみからなる不織布シートである。
【０００９】
好ましい実施の形態においては、上記吸収体は、上記粉砕パルプおよび吸水ポリマーを包囲するティッシュシートを含む。
【００１０】
本発明の第２の側面によって提供される清掃具は、本発明の第１の側面に係る清掃シートと、上記清掃シートが装着されるヘッドを有する清掃具本体と、を備えた清掃具であって、上記ヘッドは、上記清掃シートにより全体が覆われる下面部と、当該下面部とは反対側を向く上面部と、上記下面部および上記上面部をつないでおり、互いに反対側を向く一対の側面部と、を有し、上記ヘッドへの上記清掃シートの装着時には、上記清掃シートにおける上記吸収体は、上記下面部の全体と上記一対の側面部の全体とを覆うことを特徴としている。
【００１１】
本発明のその他の特徴および利点は、添付図面を参照して以下に行う詳細な説明によって、より明らかとなろう。
【図面の簡単な説明】
【００１２】
【図１】本発明に係る清掃シートを備えて構成された清掃具の一例を示す斜視図である。
【図２】本発明に係る清掃シートの一例を示す平面図である。
【図３】図２に示す清掃シートの断面構造を模式的に表す図である。
【図４】図１に示す清掃具の作用を説明するための図であり、清掃具本体と清掃シートとを分離した状態を示す斜視図である。
【図５】図１に示す清掃具の作用を説明するための側面図である。
【図６】図１に示す清掃具の作用を説明するための側面図である。
【発明を実施するための形態】
【００１３】
以下、本発明の好ましい実施の形態について、図面を参照して具体的に説明する。
【００１４】
図１は、本発明に係る清掃シートを備えて構成された清掃具の一例を示す。本実施形態の清掃具Ａ１は、清掃シート１と、清掃具本体２とを備え、床面の清掃に使用するものである。
【００１５】
図２、図３は、本実施形態の清掃シート１を示す。清掃シート１は、裏面シート１１と、表面シート１２と、吸収体１３とを備える。裏面シート１１は、液不透過性を有し、たとえば合成樹脂製フィルムからなる。裏面シート１１の具体例を挙げると、材質がポリエチレン（フィルム）であり、厚さが２０μｍ程度であり、平面サイズが２０ｃｍ×７０ｃｍ程度の長矩形状である。
【００１６】
表面シート１２は、液透過性を有し、ポリプロピレン繊維を主成分とする不織布シートである。ここで、ポリプロピレン繊維は液吸収性が乏しいことにより、好適に用いられる。本実施形態において、表面シート１２におけるポリプロピレン繊維の含有比率は高い方が好ましく、当該ポリプロピレン繊維の含有比率は、たとえば８０％以上であり、好ましくは９０％以上であり、より好ましくは１００％である。表面シート１２は、複数種の繊維材料により構成する場合、たとえばポリプロピレン繊維およびポリエチレン繊維より構成される。表面シート１２の具体的な製造方法は特に限定されないが、湿式法や乾式法により短繊維の集合体を形成し、当該短繊維の集合体がサーマルボンド法あるいはスパンレース法などの手法により不織布シートとして形成される。表面シート１２の平面サイズは、たとえば２０ｃｍ×７０ｃｍ程度である。
【００１７】
吸収体１３は、シート状に構成されており、裏面シート１１および表面シート１２の間に介在している。吸収体１３は、液体（主に水分）を吸収するものであり、粉砕パルプ１３１、吸水ポリマー１３２およびティッシュシート１３３を含む。粉砕パルプ１３１は、たとえばフラットパルプと呼ばれる長繊維のパルプが使用され、シート状やロール状のパルプを粉砕機により粉砕して綿状としたものである。
【００１８】
吸水ポリマー１３２は、いわゆる高吸収性樹脂（ＳＡＰ：Ｓｕｐｅｒ Ａｂｓｏｒｂｅｎｔ Ｐｏｌｙｍｅｒ）であり、自重の数百倍ないし千倍程度の水を素早く吸収することができるものである。このような吸水ポリマー１３２としては、たとえばアクリル酸重合体部分ナトリウム塩架橋物を挙げることができるが、特にその材質が限定されるものではない。吸水ポリマー１３２は粒子状であり、そのサイズは粒径３００μｍ程度である。吸水ポリマー１３２は、粉砕パルプ１３１中に均等に分散されており、これら（粉砕パルプ１３１および吸水ポリマー１３２）が混合して積層したシート状とされる。
【００１９】
ティッシュシート１３３は、パルプ繊維を漉いて作製された薄状紙であり、吸水性に優れている。図３に示すように、このティッシュシート１３３は、上記の粉砕パルプ１３１および吸水ポリマー１３２からなる積層シートを包囲している。詳細な図示説明は省略するが、ティッシュシート１３３は、たとえば２枚のシート片により構成されており、一方のシート片が粉砕パルプ１３１および吸水ポリマー１３２からなる積層シートの下面全体を覆うとともに当該積層シートの長手方向に沿う両側面を経て積層シートの上面両端部を覆い、他方のシート片が上記積層シートの上面全体を覆っている。
【００２０】
吸収体１３の平面サイズは、裏面シート１１や表面シート１２の平面サイズよりも一回り小さいサイズとされており、たとえば１６ｃｍ×６６ｃｍ程度である。上記の裏面シート１１および表面シート１２は、吸収体１３の周縁を囲む接合部１４を含む。接合部１４は、裏面シート１１および表面シート１２厚さ方向に重なり合って互いが一体に接合された部分である。接合部１４における一体化手法は特に限定されないが、接合部１４はたとえば熱溶着により一体化される。接合部１４の幅寸法は、たとえば２ｃｍ程度である。
【００２１】
本実施形態において、吸収体１３の適所には表面シート１２側から凹む凹部１３４が形成されている。凹部１３４は、たとえば表面シート１２側から当該表面シート１２および吸収体１３を押圧加熱等することによって形成されたものである。凹部１３４は、吸収体１３が裏面シート１１および表面シート１２間において偏るのを防止するためのものである。吸収体１３は、凹部１３４の両側において相互の移動が抑制される。凹部１３４の形成パターンは特に限定されるものではないが、図２において破線で表すように、凹部１３４は、たとえば清掃シート１の厚さ方向視において格子状に形成される。
【００２２】
上記構成の清掃シート１において、粉砕パルプ１３１および吸水ポリマー１３２の重量や含有比率は、目標とする吸水容量等に応じて適宜選択される。粉砕パルプ１３１および吸水ポリマー１３２の重量比率の一例を挙げると、清掃シート１の全体重量に対して、粉砕パルプ１３１の重量比率が２０〜４０％程度であり、吸水ポリマー１３２の重量比率が１０〜３０％程度である。
【００２３】
上記構成の清掃シート１は、清掃具本体２に装着して使用される。図１、図４に示すように、清掃具本体２は、柄２１およびこの柄２１の先端に連結されたヘッド２２を有する。ヘッド２２は、清掃シート１が装着される部分である。なお、ヘッド２２は、柄２１の先端部に対して所定の回動軸Ｏｘ周りに回動可能に連結されている。
【００２４】
図１、図４、図５に示すように、ヘッド２２は、概略長矩形状の板状とされている。ヘッド２２は、上面部２３、下面部２４、および側面２５を有する。上面部２３および下面部２４は互いに反対側を向く。側面２５は、上面部２３および下面部２４をつないでおり、一対の側面部２５１を含む。一対の側面部２５１は、ヘッド２２の長手方向に沿って延びており、互いに反対側を向く。
【００２５】
本実施形態において、上面部２３には挟持部２３１が設けられている。挟持部２３１は、清掃シート１の周縁部を挟み持つ部分である。挟持部２３１は、たとえば、所定の回動軸周りに回動可能に支持された可動片がバネ等の弾性部材の弾性復元力により上面部２３に押圧される構成とされている。本実施形態において、挟持部２３１は、ヘッド２２の４隅に対応した４箇所に設けられている。
【００２６】
ヘッド２２のサイズの一例を挙げると、平面サイズが８ｃｍ×６０ｃｍ程度であり、厚さ（側面２５の高さ寸法）が２ｃｍ程度である。
【００２７】
次に、本実施形態の作用について説明する。
【００２８】
清掃シート１の使用に先立ち、まず、清掃シート１を清掃具本体２に装着する。ここで、図４に示すように、清掃シート１を、裏面シート１１が上向きとなるように床面等の平坦面上に置き、清掃シート１の上にヘッド２２を載せる。次に、図５に示すように、清掃シート１の長手方向に沿う端部を持ち上げ、ヘッド２２の側面部２５１を囲うようにして上面部２３まで延ばす。このとき、挟持部２３１を開いておく。挟持部２３１は、たとえばロック機構により開いた状態が維持されている。
【００２９】
次いで、図６に示すように、挟持部２３１により清掃シート１の長手方向に沿う端部を挟む。ここで、挟持部２３１を図５に示す状態からさらに開くと上記ロック機構が解除され（図６において仮想線で表す）、上記弾性部材の弾性復元力により挟持部２３１が閉じる。このようにして、清掃シート１が清掃具本体２のヘッド２２に装着される。ここで、清掃シート１における吸収体１３は、下面部２４の全体と、一対の側面部２５１の全体と、上面部２３の一部とを覆っている。
【００３０】
本実施形態の清掃シート１は、液不透過性を有する裏面シート１１と、液透過性を有する表面シート１２と、これら裏面シート１１および表面シート１２の間に介在される吸収体１３と、を備える。ヘッド２２（清掃具本体２）への清掃シート１の装着時には、裏面シート１１がヘッド２２に当接する。そして、清掃シート１が装着された清掃具Ａ１は、たとえば床面等の清掃対象に付着した水分を拭き取るために使用される。清掃時には、外側を向く表面シート１２を濡れた床面（清掃対象）に当接させて当該床面を擦りながら床面上の水分を拭き取る。
【００３１】
表面シート１２は、ポリプロピレン繊維を主成分とする不織布シートである。かかる構成によれば、濡れた床面等を擦る際の摩擦抵抗が小さく、床面等に付着した水分をスムーズに拭き取ることができる。したがって、濡れた床面等の清掃作業を効率よく行うことができる。このことは、ポリプロピレン繊維自体が液透過性には優れるものの液吸収性に乏しいという性質に起因するものと考えられる。本実施形態と異なり、吸収体を具備する吸水性物品の表面シート材として、レーヨン繊維やコットン繊維を主原料とする不織布シートが多用されている。これら不織布シートを表面シート材として用いた清掃シートの場合、濡れた床面等を擦る際に比較的大きな摩擦抵抗が生じ、清掃時の作業効率が悪い。
【００３２】
表面シート１２がポリプロピレン繊維のみからなる場合（ポリプロピレン繊維の含有比率が１００％の場合）、床面等に対する摩擦抵抗がより低減され、濡れた床面等の清掃時の作業効率がより改善される。また、表面シート１２自体が液吸収性に乏しいため、床面清掃時に水分の拭き残しが殆ど無く、乾いた状態の床面に仕上げることが可能である。コンビニエンスストアなどの店舗や空港などの交通施設においては、建物内の床面は平滑であり、雨天時等において床面が濡れると利用者が転倒しやすく危険である。このような場合において、本実施形態の清掃シート１を用いて床面清掃を行うと、速やかに乾いた状態の床面に仕上げることができるため、便利である。
【００３３】
吸収体１３は、粉砕パルプ１３１および吸水ポリマー１３２を包囲するティッシュシート１３３を含む。ティッシュシートは吸水性に優れているため、床面清掃時に表面シート１２を透過した水分は速やかにティッシュシート１３３へ移行し、その後速やかに粉砕パルプ１３１および吸水ポリマー１３２に吸収される。したがって、本実施形態によれば、清掃シート１の表面側（表面シート１２）に水分を極力残存させずに、吸収体１３（主に吸水ポリマー１３２）によって水分を迅速に吸収させることができる。また、吸水ポリマー１３２により吸水された水分は、清掃シート１を床面に押し付けても離水しにくく、床に水分が残留したままの状態を防ぐことが可能である。
【００３４】
ヘッド２２（清掃具本体２）への清掃シート１の装着時には、清掃シート１における吸収体１３は、ヘッド２２における下面部２４の全体と一対の側面部２５１の全体とを覆う。このような構成によれば、たとえば床面に隣接する壁面下部等に付着した水分について、当該壁面下部にヘッド２２の側面部２５１を押し付けることにより、簡単に拭き取ることが可能である。また、本実施形態のように、吸収体１３がヘッド２２における上面部２３の一部を覆うように回り込んで装着される構成によれば、ヘッド２２のサイズを比較的小さくしつつ、清掃シート１における吸水容量をより多く確保することが可能である。なお、清掃シート１については、清掃作業が終了すればその都度取り替えて、後の清掃時には新しいものを使用すればよい。
【００３５】
以上、本発明の具体的な実施形態を説明したが、本発明はこれに限定されるものではなく、発明の思想から逸脱しない範囲内で種々な変更が可能である。本発明に係る清掃シートおよび清掃具の各部の具体的な構成は、種々に設計変更自在である。
【符号の説明】
【００３６】
Ａ１      清掃具
１        清掃シート
１１      裏面シート
１２      表面シート
１３      吸収体
１３１    粉砕パルプ
１３２    吸水ポリマー
１３３    ティッシュシート
１３４    凹部
１４      接合部
２        清掃具本体
２１      柄
２２      ヘッド
２３      上面部
２３１    挟持部
２４      下面部
２５      側面
２５１    側面部
【図１】
2018201576.tif 000003
【図２】
2018201576.tif 000004
【図３】
2018201576.tif 000005
【図４】
2018201576.tif 000006
【図５】
2018201576.tif 000007
【図６】
2018201576.tif 000008